(57)【特許請求の範囲】
【請求項１】
入力された左信号（Ｌ）及び右信号（Ｒ）を各々別個に波形整形する波形整形手段（１）と、
前記波形整形された前記右信号及び左信号の信号レベル差を算出する演算手段（２）と、
前記演算手段の出力に基づいて、制御信号を作成する制御信号作成手段（３）と、
前記演算手段の入力側と前記制御信号作成手段の出力側の間に接続され、前記制御信号に基づき、前記演算手段の一方の入力側の信号レベルを調整して前記演算手段の出力側における信号レベルを所定の範囲内に入るように、予め定められた範囲内で制御する入力制御手段（４）と、
前記演算手段の出力信号が前記所定の範囲内か否かを検出して前記の入力された信号がモノラル信号か否かを判定する信号検出手段（５）と、
を備えることを特徴とするモノラル信号判定回路。
【請求項２】
前記入力制御手段は、前記演算手段の一方の入力側に接続される第１の抵抗（Ｒ１３）、第２の抵抗（Ｒ１４）及びトランジスタ（Ｑ７）を有し、前記トランジスタのベースに前記制御信号を入力することによりオン／オフし、前記第１及び第２の抵抗を選択することにより前記演算手段の一方の入力側の信号レベルを調整する請求項１に記載のモノラル信号判定回路。
【発明の詳細な説明】
【０００１】
【産業上の利用分野】
本発明はモノラル信号判定回路に関し、外部より入力されたＴＶ、ビデオテープレコーダ、オーディオテープレコーダ、ＣＤ等の信号を入力した時に、その入力がモノラルか否か判定し、モノラル信号であれば擬似ステレオ等のファンクションに切り換えるモノラル信号判定回路に関する。
【０００２】
【従来の技術】
図３は従来のモノラル信号判定回路図である。従来、この種の判定回路は図示のように演算回路１０と信号検出部１１で構成されている。Ｌは左信号、Ｒが右信号である。また、Ｒａ＝Ｒｂ＝Ｒｃ＝Ｒｄに設定されている。
このような構成において、オペアンプＱの出力側のｐ点では、Ｌ信号及びＲ信号のレベルが全く同一（即ち、モノラル信号）で、かつＲａ＝Ｒｂ＝Ｒｃ＝Ｒｄであれば、理論的にｐ点での出力は「ゼロ」になり、この「ゼロ」が信号検出部１１で検出されて「モノラル信号」と判定することができる。従って、モノラル信号では、Ｌ／Ｒ信号が完全に同一レベルでなければ、減算回路１０からの出力が「ゼロ」にならない。
【０００３】
【発明が解決しようとする課題】
しかしながら、実使用において、上述の従来回路では、抵抗値のバラツキによりＬ信号及びＲ信号に出力差があり、さらにＬ／Ｒ信号の間で周波数特性が一致しないので、広帯域になればなるほどＬ／Ｒ信号が同一レベルになるのが困難である。その結果、演算回路１０の出力側ｐ点にレベル差信号が現れ、ステレオ等の位相差による出力と区別出来なくなり、誤った判定（モノラル信号判定）をすることがある。
【０００４】
本発明の目的は、上述の問題を解消するために、確実にモノラル信号を判定する回路を提供することにある。
【０００５】
【課題を解決するための手段】
図１は本発明の原理構成図である。本発明のモノラル信号判定回路は、入力された左信号（Ｌ）及び右信号（Ｒ）を各々別個に波形整形する波形整形手段１と、前記波形整形された前記右信号及び左信号の信号レベル差を算出する演算手段２と、前記演算手段の出力に基づいて、制御信号を作成する制御信号作成手段３と、前記演算手段の入力側と前記制御信号作成手段の出力側の間に接続され、前記制御信号に基づき、前記演算手段の一方の入力側の信号レベルを調整して前記演算手段の出力側における信号レベルを所定の範囲内（例えば、「ゼロ」）にするように、予め定められた範囲内で制御する入力制御手段４と、前記演算手段の出力信号が前記所定の範囲内か否かを検出してモノラル信号か否かを判定する信号検出手段５と、を備えることを特徴とする。
【０００６】
また、前記入力制御手段は、前記演算手段の一方の入力側に接続される第１の抵抗Ｒ１３、第２の抵抗Ｒ１４及びトランジスタＱ７を有し、前記トランジスタのベースに前記制御信号を入力することによりオン／オフし、前記第１及び第２の抵抗を選択することにより前記演算手段の一方の入力側の信号レベルを調整する。
【０００７】
【作用】
本発明では、演算手段の入力にＬ／Ｒ信号のレベルの相違する信号が入力されたときに、片方の入力レベルを基準にして、他方の入力レベルを同一にするように、後段で発生される制御信号を用いて、入力段の抵抗群の抵抗値の分配を調整する。これにより、モノラル信号であれば、常にＬ／Ｒ信号の差信号を「ゼロ」にすることができる。
【０００８】
【実施例】
図２は本発明の一実施例構成図である。本発明では、要するに、オペアンプＱ５の出力側のｅ点の信号レベルでモノラル信号か否か判定する。即ち、オペアンプＱ５の入力側のｄ点の信号レベルを、同じ入力側のｃ点に基づくｅ点の信号レベルと同一レベルでかつ逆相になるように合わせると、モノラル信号は位相が同一であるから、同時入力時はｅ点の信号レベルは「ゼロ」になる。一方、ステレオ信号の場合は左右の信号に位相差があるので、ｅ点における信号レベルは「ゼロ」にならない。従って、ｅ点の信号レベルが「ゼロ」であれば、モノラル信号と判定することができる。
【０００９】
以下、本発明の動作を図面に沿って詳細に説明する。図中、１は波形整形回路であり、判定感度を向上させるために入力信号を波形整形（整流）するものである。２は演算回路であり、波形整形回路１の出力側のａ点及びｂ点における信号のレベル及び位相を判定するものである。即ち、左（Ｌ）信号及び右（Ｒ）信号が同一レベルか、さらに同一位相か、を判定するものである。３は制御信号作成回路であり、左右のレベル差を無くすための制御信号を作成する。４は入力制御回路であり、ａ点及びｂ点の入力差についてａ点に対してｂ点の信号レベルを±ｘ（ｄＢ）の範囲内で制御するように設定する。５は信号検出回路であり、演算回路２のｅ点における出力の有無（即ち、ゼロか否か）を判定し、これに応じて検出信号を出力する。
【００１０】
波形整形回路１は、図示のように、Ｌ側及びＲ側ともに同一回路で構成されており、各チャネルは２段のオペアンプＱ１，Ｑ２（Ｑ３，Ｑ４）で構成されている。Ｌ／Ｒ信号はオペアンプＱ１（Ｑ３）の出力側のダイオードＤ１，Ｄ２（Ｄ３，Ｄ４）によって全波整流される。従って、この全波整流によって負の入力信号も正の入力信号に変換されて判定感度を上げることができる。全波整流して得られたａ点及びｂ点の出力は演算回路２に送出される。
【００１１】
演算回路２はオペアンプＱ５により構成され、入力制御回路４はトランジスタＱ７により構成され、制御信号作成回路３はオペアンプＱ６により構成されている。さらに演算回路２の出力は信号検出回路５に送出される。
このような構成において、ａ点の信号は抵抗Ｒ１１を経てｃ点に、ｂ点の信号は抵抗Ｒ１２を経てｄ点に送られる。この場合、ｂ点の信号レベルはａ点の信号レベルに対して、予め±ｘ（ｄＢ）の範囲内で同一レベルに設定されるように、入力制御回路４の抵抗Ｒ１３及びＲ１４で調整されている。
【００１２】
即ち、トランジスタＱ７がオフの時は、
ｄ点の信号レベル＝（Ｒ１３×ｂ）／（Ｒ１２＋Ｒ１３）  ・・・（１）
となり、ａ点とｂ点の信号レベルが同じときは、ｄ点の信号レベルによるｅ点への出力が、ａ点の信号レベルによるｅ点への出力（即ちｃ点の信号レベルによるｅ点への出力）よりも、ｘ（ｄＢ）高くなるように各抵抗を設定する。
一方、トランジスタＱ７がオンの時は、
ｄ点の信号レベル＝
〔（Ｒ１３‖Ｒ１４）×ｂ〕／〔Ｒ１２＋（Ｒ１３‖Ｒ１４）〕・・（２）
となり、同じくａ点とｂ点の信号レベルが同じときは、ｄ点の信号レベルによるｅ点への出力が、ａ点の信号レベルによるｅ点への出力（即ちｃ点の信号レベルによるｅ点への出力）よりも、ｘ（ｄＢ）低くなるように各抵抗を設定する。但し、“‖”はパラレル記号を示す。
【００１３】
従って、最初にオペアンプＱ５に加えられる信号は、トランジスタＱ７がオフなので、ａ点におけるモノラル信号レベルがｂ点における信号レベルよりもｘ（ｄＢ）高ければ、ｅ点における信号レベルは「ゼロ」になるが、ａ点の信号レベルが、＋ｘ（ｄＢ）＞（ｂ−ａ）＞−ｘ（ｄＢ）であれば、ａ点及びｂ点の信号は正信号なので、常にｅ点には正の信号が出力される。
【００１４】
そして、オペアンプＱ５の出力はｅ点から、制御信号作成回路３に入力され、オペアンプＱ６で増幅され、その出力のｆ点において制御信号が出力される。この制御信号はダイオードＤ５を経てトランジスタＱ７のベースに印加される。ｅ点の出力が所定の範囲を超えると、このダイオードＤ５の出力により、トランジスタＱ７がオンされ、ｄ点の信号レベルは下がる方向に作用し、モノラル信号であればｃ点及びｄ点の信号レベルは同じになる方向に変えられるので、ｅ点での信号レベルが所定の範囲内（±ｘ（ｄＢ）以内）となり、実質的に「ゼロ」になるように、トランジスタＱ７にて平衡を得るようになっている。従って、トランジスタＱ７をオフのままでか、あるいはオンにすることにより、ｅ点の信号レベルが所定の範囲内に入れば、入力信号Ｌ／Ｒがモノラル信号であると判断する。
【００１５】
しかし、モノラル信号以外であれば、ａ点及びｂ点の間で位相が相違するので、ｅ点では出力差が現れ、トランジスタＱ７による平衡が取れなくなる。従って、信号検出回路５はその入力側のｈ点における入力が所定値以下、即ち実質的に「ゼロ」のときは、Ｌ／Ｒの位相が同一で、Ｌ／Ｒ信号のレベル差が、Ｑ７のオン又はオフの場合に、ｅ点での信号レベルの±ｘ（ｄＢ）に対応するレベル差以内であれば、入力信号Ｌ／Ｒをモノラル信号と判定し、ｉ点に検出信号を出力する。
【００１６】
【発明の効果】
以上説明したように、本発明によれば、ＴＶ、ステレオ装置等において、容易かつ確実にモノラル信号を判定することができる。
【図面の簡単な説明】
【図１】本発明の原理構成図である。
【図２】本発明の一実施例構成図である。
【図３】従来のモノラル信号判定回路図である。
【符号の説明】
１…波形整形回路
２，１０…演算回路
３…制御信号作成回路
４…入力制御回路
５，１１…信号検出回路
【図１】
0003730281.tif 000002
【図２】
0003730281.tif 000003
【図３】
0003730281.tif 000004